(57)【要約】サービスプロバイダ（80）により提供される１つ以上のサービスを介して通信する通信装置（10）が記載される。装置（10）は、移動電話であることが好ましい。更に、装置（10）は、支払いと引き換えにプロバイダ（80）により配布される１つ以上のデータ媒体（20）を受領することができるメモリデバイスを有する。デバイス（30）は、１つ以上のデータ媒体（20）の提示のときに、１つ以上のデータ媒体（20）のデータ（60、65、300）に直接アクセスするように動作可能である。更に、装置（10）は、データ（60）をプロバイダ（80）に通信し、データ（60）が有効であると認められたときにデータ（60）で伝えられた情報に従って装置（10）の料金クレジットを更新するために、プロバイダ（80）がデータ（60）を検査することができるように更に構成される。データ媒体（20）の使用は、広告を可能にし、例えば料金クレジットの目的で現代のスクラッチカードを使用するときに生じる問題に対処する。
2007531449.tif 000002
【特許請求の範囲】
【請求項１】
サービスプロバイダにより提供される１つ以上のサービスを介して通信するように動作可能な通信装置の料金を支払う方法であって：
(a)前記サービスプロバイダが、前記プロバイダへの支払いと引き換えに小売用の１つ以上のデータ媒体を配布するように構成するステップと；
(b)前記装置が、前記１つ以上のデータ媒体を受領することができるメモリデバイスを有するように構成するステップと；
(c)前記デバイスを介して前記装置が前記１つ以上のデータ媒体に記録されたデータに直接アクセスすることを可能にするため、前記メモリデバイスに前記１つ以上のデータ媒体を提示するステップと；
(d)前記装置を介して前記プロバイダに前記データを通信するステップと；
(e)前記プロバイダで前記データを受信し、ここで前記データの有効性を検査するステップと；
(f)前記データが有効であると前記プロバイダにより認められると、前記データで伝えられた情報に従って前記装置の料金クレジットを更新するステップと；
を有する方法。
【請求項２】
請求項１に記載の方法であって、
前記１つ以上のデータ媒体は、前記データを読み取るために光及び／又は磁気の呼びかけ信号（interrogation）を受ける方法。
【請求項３】
請求項１に記載の方法であって、
前記１つ以上のデータ媒体は、１つ以上の小型光ディスク（SFFO：small  form  factor  optical）のデータ媒体である方法。
【請求項４】
請求項１に記載の方法であって、
前記データは、前記１つ以上のデータ媒体を特定する情報を伝える少なくとも１つのセキュア番号を有する方法。
【請求項５】
請求項４に記載の方法であって、
前記少なくとも１つのセキュア番号は、前記１つ以上のデータ媒体に記録された安全なキーロッカー構造に保持され、
前記キーロッカーは、前記装置への有効なアクセスコードの提示のときに、前記サービスプロバイダにアクセス可能である方法。
【請求項６】
請求項１に記載の方法であって、
暗号化形式で前記データ媒体の前記データを前記サービスプロバイダに通信するステップを有する方法。
【請求項７】
請求項１に記載の方法であって、
前記サービスプロバイダは、前記１つ以上のデータ媒体から直接アクセスされる前記データを前に呼び出したことを検査するように動作可能であり、
これによって、前記１つ以上のデータ媒体により示されるクレジットが前記装置に関連して前にクレジットを与えられたか否かを特定する方法。
【請求項８】
請求項１に記載の方法であって、
前記１つ以上のデータ媒体は、前記１つ以上のデータ媒体が前記デバイスに提示されるときに広告資料を前記装置のユーザに提示するために、広告データコンテンツ及び／又は少なくとも１つの広告ソフトウェアアプリケーションを有する方法。
【請求項９】
サービスプロバイダにより提供される１つ以上のサービスを介して通信する通信装置であって、
前記装置は、支払いと引き換えに前記プロバイダにより配布される１つ以上のデータ媒体を受領することができるメモリデバイスを有し、
前記デバイスは、前記１つ以上のデータ媒体の提示のときに、前記１つ以上のデータ媒体のデータに直接アクセスするように動作可能であり、
前記装置は、前記データを前記プロバイダに通信し、前記データが有効であると認められたときに前記データで伝えられた情報に従って前記装置の料金クレジットを更新するために、前記プロバイダが前記データを検査することができるように更に構成される通信装置。
【請求項１０】
サービスプロバイダと少なくとも１つの通信装置とを有する通信システムであって、
前記少なくとも１つの装置のそれぞれは、サービスプロバイダにより提供される１つ以上のサービスを介して通信するように構成され、
前記装置は、支払いと引き換えに前記プロバイダにより配布される１つ以上のデータ媒体を受領することができるメモリデバイスを有し、
前記デバイスは、前記１つ以上のデータ媒体の提示のときに、前記１つ以上のデータ媒体のデータに直接アクセスするように動作可能であり、
前記装置は、前記データを前記プロバイダに通信し、前記データが有効であると認められたときに前記データで伝えられた情報に従って前記装置の料金クレジットを更新するために、前記プロバイダが前記データを検査することができるように更に構成される通信システム。
【請求項１１】
請求項１に記載の方法での使用に適しており、前記データを伝えるデータ媒体であって、
前記媒体は前記デバイスにより直接読み取られることができるデータ媒体。
【請求項１２】
請求項１１に記載の媒体であって、
前記データは、前記媒体の安全なキーロッカー構造に記録される媒体。
【請求項１３】
請求項１１に記載の媒体であって、
前記媒体のユーザに広告を提示するために、広告データコンテンツ及び／又は広告アプリケーションソフトウェアを更に有する媒体。
【請求項１４】
請求項１１に記載の媒体であって、
小型光ディスクデータ媒体として実施される媒体。
【請求項１５】
請求項１に記載の方法を実施するように動作可能なソフトウェア。
【請求項１６】
データ媒体を受領するインタフェースを有する移動端末と、
データベースを有するサーバと、
データコンテンツとセキュアデータ用の領域とを有するデータ媒体と、
ネットワークを介して前記セキュアデータを転送するデータ接続と
を有する通信システムであって、
前記通信システムは、前記サーバへの前記データ接続を介して前記移動端末から前記データ媒体に格納された前記セキュアデータに自動的にアクセスして送信するようにプログラムされ、
前記移動端末への前記データ媒体の挿入の後に、前記移動端末は、前記端末での提示用に、前記データ媒体からデータコンテンツを取り出すように更に適合される通信システム。
【発明の詳細な説明】
【技術分野】
【０００１】
本発明は、移動電話及び類似の通信装置の料金を支払う方法に関する。排他的ではなく特に、本発明は、取り外し可能な小型データ媒体（例えば小型光ディスクデータ媒体）を用いて移動電話の料金を支払う方法に関する。更に、本発明はまた、この方法を実施するように構成された通信装置及び関連の通信システムに関する。
【背景技術】
【０００２】
移動電話ユーザ用に料金クレジットを追加するプリペイドカードは周知である。このようなカードは小売店（例えば、キオスク、自動車ガソリンスタンド及びスーパーマーケット）で購入可能である。カードは、対応する固有の印刷コード番号がそれぞれ備えられている。カードのコード番号は、ユーザが取り外し可能であるように構成されたスクラッチ式の不透明な保護物でしばしば隠されている。カードに関連するクレジットを呼び出すときに、ユーザはスクラッチ保護を除去し、その後に関連する通信サービスプロバイダに電話をする。その後に、ユーザは、例えば移動電話のキーパッドをタイプすることにより、固有のコード移動電話に入力し、これによって、これらのコードがサービスプロバイダに通信される。プロバイダは固有の番号を受信し、番号が本物且つ有効であることを確認し、ユーザの料金等級にクレジットを与える。料金等級は、対応するユーザが通信サービスを介して電話を行うことを許容する。
【０００３】
また、公開米国特許出願第US2003/0014360に記載のように、仮想プリペイドカードを使用することでサービス起動を提供することも知られている。サービス起動は、仮想プリペイドカードの不法な使用の問題に対処することを目的とする。プリペイドカードは、通信サービスプロバイダのサーバに使用中に通信される関連の第１のコードを明かすために、スクラッチ可能であるように構成される。対応する第２のコードは、カードについてのユーザの支払い時に配信される。第１及び第２のコードが各ユーザについて認証され、これにより、ユーザは第１のコードを使用して通信目的でサービスプロバイダを使用することが可能になる。
【発明の開示】
【発明が解決しようとする課題】
【０００４】
本発明者は、プリペイドカードに関するクレジットを呼び出すために、カードが正確に移動電話に入力される必要のある長い番号を有する点について、プリペイドカードを使用することで問題が生じることを認識した。このような長い番号は、不便であり、分かりにくい。ユーザが移動電話のキーボードを介して不正確なデータを不正確に入力すると、しばしば欲求不満に直面する。悪い視力及び／又は認識能力を有する高齢者は、しばしばこのような番号を入力する問題に直面する。これらの高齢者は、通信サービスプロバイダのサーバに電話し、プリペイドのスクラッチカードのコード番号（しばしば15〜20の10進数までを有し得る）を入力することを求められる。コード番号を受信すると、サービスプロバイダは高齢者のユーザアカウントにクレジットを与え、後のクレジット目的にそのコード番号を使用することを同時に抑制する。データ入力の後に、プリペイドのスクラッチカードは、これ以上有用ではなく、従って通常では破棄される。
【０００５】
従って、本発明者は、移動電話及び類似の通信装置の料金を支払う代替手法を考案した。
【０００６】
本発明の目的は、容易かつ便利な通信装置の料金を支払う方法を提供することである。
【課題を解決するための手段】
【０００７】
本発明の第１の態様によれば、サービスプロバイダにより提供される１つ以上のサービスを介して通信するように動作可能な通信装置の料金を支払う方法が提供され、この方法は、
(a)サービスプロバイダが、プロバイダへの支払いと引き換えに小売用の１つ以上のデータ媒体を配布するように構成するステップと、
(b)装置が、１つ以上のデータ媒体を受領することができるメモリデバイスを有するように構成するステップと、
(c)デバイスを介して装置が１つ以上のデータ媒体に記録されたデータに直接アクセスすることを可能にするため、メモリデバイスに１つ以上のデータ媒体を提示するステップと、
(d)装置を介してプロバイダにデータを通信するステップと、
(e)プロバイダでデータを受信し、ここでデータの有効性を検査するステップと、
(f)データが有効であるとプロバイダにより認められると、データで伝えられた情報に従って装置の料金クレジットを更新するステップと
を有する。
【０００８】
本発明は、装置のユーザが従来で生じているようなデータを転記する必要なく、１つ以上のデータ媒体のデータへの直接のアクセスが実現できるという点で、有利である。
【０００９】
この方法において、１つ以上のデータ媒体は、データを読み取るために光及び／又は磁気の呼びかけ信号（interrogation）を受けることが好ましい。このような媒体は、潜在的に安価且つコンパクトであり、従ってユーザがクレジット割当量を定期的に更新するのに非常に適している。１つ以上のデータ媒体は、１つ以上の小型光ディスク（SFFO：small  form  factor  optical）のデータ媒体であることが更に好ましい。装置のユーザに提示され得る広告資料を更に有することができるため、このような媒体が特に好ましい。
【００１０】
この方法において、データは、１つ以上のデータ媒体を特定する情報を伝える少なくとも１つのセキュア番号を有することが好ましい。不正使用（例えば１つ以上のデータ媒体の不正行為及び／又は無許可のコピー）に対するセキュリティを高めるため、少なくとも１つのセキュア番号は、１つ以上のデータ媒体に記録された安全なキーロッカー構造に保持されることが好ましい。このキーロッカーは、装置への有効なアクセスコードの提示のときに、サービスプロバイダにアクセス可能である。
【００１１】
セキュリティを高めて、これによって不正使用を回避するために、この方法は、暗号化形式でデータ媒体のデータをサービスプロバイダに通信するステップを有することが好ましい。
【００１２】
この方法において、サービスプロバイダは、１つ以上のデータ媒体から直接アクセスされるデータを前に呼び出したことを検査するように動作可能であり、これによって、１つ以上のデータ媒体により示されるクレジットが装置に関連して前にクレジットを与えられたか否かを特定することが好ましい。このような検査は、不正の料金クレジットのリスクを低減することに役立つ。
【００１３】
この方法において、１つ以上のデータ媒体は、１つ以上のデータ媒体がデバイスに提示されるときに広告資料を装置のユーザに提示するために、広告データコンテンツ及び／又は少なくとも１つの広告ソフトウェアアプリケーションを有することが好ましい。この資料は、オーディオフォーマットとビジュアルフォーマットとのうち少なくとも１つでユーザに提示されることが更に好ましい。有利には、この方法において、１つ以上の媒体は、料金加入者に魅力を与えるために、通信プロバイダにより供給されるボーナスコンテンツを有する。例えば、ボーナスコンテンツは、無料ゲーム、魅力的な写真及び画像、並びに予め作られたマルチメディア・メッセージング・サービス（MMS：Multimedia  Messaging  Service）のうち１つ以上を有する。
【００１４】
本発明の第２の態様によれば、サービスプロバイダにより提供される１つ以上のサービスを介して通信する通信装置が提供され、この装置は、支払いと引き換えにプロバイダにより配布される１つ以上のデータ媒体を受領することができるメモリデバイスを有し、このデバイスは、１つ以上のデータ媒体の提示のときに、１つ以上のデータ媒体のデータに直接アクセスするように動作可能であり、この装置は、データをプロバイダに通信し、データが有効であると認められたときにデータで伝えられた情報に従って装置の料金クレジットを更新するために、プロバイダがデータを検査することができるように更に構成される。
【００１５】
本発明の第３の態様によれば、サービスプロバイダと少なくとも１つの通信装置とを有する通信システムが提供され、この少なくとも１つの装置のそれぞれは、サービスプロバイダにより提供される１つ以上のサービスを介して通信するように構成され、この装置は、支払いと引き換えにプロバイダにより配布される１つ以上のデータ媒体を受領することができるメモリデバイスを有し、このデバイスは、１つ以上のデータ媒体の提示のときに、１つ以上のデータ媒体のデータに直接アクセスするように動作可能であり、この装置は、データをプロバイダに通信し、データが有効であると認められたときにデータで伝えられた情報に従って装置の料金クレジットを更新するために、プロバイダがデータを検査することができるように更に構成される。
【００１６】
本発明の第４の態様によれば、本発明の第１の態様の方法での使用に適しており、データを伝えるデータ媒体が提供され、媒体はデバイスにより直接読み取られることができる。データは、媒体の安全なキーロッカー構造に記録されることが更に好ましい。データ媒体は、媒体のユーザに広告を提示するために、広告データコンテンツ及び／又は広告アプリケーションソフトウェアを更に有することが更に好ましい。媒体は、小型光ディスクデータ媒体として実施されることが更に好ましい。
【００１７】
本発明の第５の態様によれば、本発明の第１の態様による方法を実施するように動作可能なソフトウェアが提供される。
【００１８】
本発明の第６の態様によれば、データ媒体を受領するインタフェースを有する移動端末と、データベースを有するサーバと、データコンテンツとセキュアデータ用の領域とを有するデータ媒体と、ネットワークを介してセキュアデータを転送するデータ接続とを有する通信システムが提供され、この通信システムは、サーバへのデータ接続を介して移動端末からデータ媒体に格納されたセキュアデータに自動的にアクセスして送信するようにプログラムされ、移動端末へのデータ媒体の挿入の後に、移動端末は、端末での提示用に、データ媒体からデータコンテンツを取り出すように更に適合される。
【００１９】
データ媒体からのデータコンテンツにアクセスすることができるデバイスを有することにより、通信ネットワークを通じて移動端末への無線による大量のデータの転送が回避可能であり、その代わりに、デバイスは、データ媒体から直ちにこのようなデータにアクセスする（例えば端末での提示用に広告データコンテンツにアクセスする）ことができる。
【００２０】
更に、移動デバイスは、移動端末が通信サービスエリアを有さない場所（例えばトンネル又は他の隔離場所のような無線の影部）であっても、データ媒体から如何なる種類の情報でもよいデータコンテンツにアクセスすることができる。
【００２１】
本発明の特徴は、本発明の範囲を逸脱することなく、如何なる組み合わせで結合可能であることがわかる。
【発明を実施するための最良の形態】
【００２２】
本発明の実施例について、一例としてのみ、添付図面を参照して説明する。
【００２３】
図１を参照すると、本発明者は、概して10で示す移動電話及び類似の形式の通信装置の料金を支払う代替方法を考案した。この方法は、電話10のユーザ40がデータ媒体20から電話10にデータを伝える必要なく、電話10のディスクドライブ30に挿入されたときに自動的に電話10により読み取り可能な取り外し可能データ媒体の使用を有する。自動的に読み取り可能なデータ媒体20を使用することにより、よりロバストな確認を使用し、これによってより効率的に潜在的な不正行為を回避することが実現できる。データ媒体20は、光学読み取り可能データ媒体と磁気読み取り可能データ媒体とのうち少なくとも１つであることが好ましい。例えば、データ媒体20は、実質的に青色波長（blue-wavelength）光放射を使用して識別可能な小型光データ媒体であることが好ましい。このようなデータ媒体の例には、実質的に1.5Gバイトのデータコンテンツまで伝搬及び／又は格納することができるPhilips  N.V.の開発した小型光（SFFO：small  form  factor  optical）データディスクがある。
【００２４】
動作中に、ユーザ40はデータ媒体20を電話10のディスクドライブ30に挿入する。その後、ユーザ40は、挿入されたデータ媒体20からセキュア番号60をロードし、これを通信サービスプロバイダ80のサーバ70に通信するように電話のデータ処理ハードウェア50で実行するクレジット確認プログラム65を起動する。サービスプロバイダ80は、複数の相互接続ノード（N）と１つ以上のサーバ（S）とを有する通信ネットワークであることが好ましい。サーバ70は、セキュア番号60を受信し、自分のデータレコード90に対してセキュア番号60が本物であることを確認するように進む。セキュア番号60が本物であり、前にユーザにより呼び出されていないことをサーバ70が検出すると、サーバ70は、それに従ってユーザ40のクレジット等級を更新する。逆に、番号60が不正確である又はクレジット目的に前に呼び出されたと認められた場合、サーバ70はエラーメッセージ100を移動電話10に返信し、ユーザ40に通知する。データ媒体20がコピーされ、媒体20の複数の無許可の不当なコピーが後に不正に配信された場合に、セキュア番号60の前の呼び出しが潜在的に生じ得る。
【００２５】
データ媒体20で伝えられるデータは、図２に示すSFFOキーロッカー200を用いて、よりロバストに処理される。キーロッカー200は、暗号化に従った媒体20のデータ領域として実装され、これにより、適切な解読鍵を使用する適切な解読ソフトウェアを使用する場合にのみ、セキュア番号60を含むデータが解読可能であることが好ましい。従って、前述のクレジット確認プログラム65は、確認プログラム65への適切なアクセス鍵の提示のときに、サーバ70がセキュア番号70へのアクセスを可能にするように動作可能であることが好ましい。400で示すように、確認プログラム65は、暗号化形式でセキュア番号60をサーバ70に通信するように動作可能であることが好ましい。データ媒体20のセキュア番号60にアクセスするためにサーバ70により使用されるアクセス鍵は、サーバ70でセキュア番号をデコードするために必要な解読鍵と互いに異なることが好ましい。
【００２６】
確認プログラム65は、データ媒体20に提供されてもよく、取り外し不可能なメモリ（例えば移動電話10の読み取り専用メモリ）に格納されてもよい。このため第三者がコピーすることが困難になる。
【００２７】
データ媒体20はまた、１つ以上の無料ソフトウェアアプリケーション300のようなデータコンテンツを有するように構成されることが好ましい。電話10へのデータ媒体20の挿入時に、１つ以上の無料ソフトウェアアプリケーション300は、自動的にハードウェア50により起動され、移動電話10のディスプレイ320に広告及び他の宣伝画像を提示してもよい。有利には、提示される無料宣伝画像は、SMSメッセージを構成するときに含まれる１つ以上の標準メッセージングシステム（SMS：standard  messaging  system）の画像を有する。SMS画像は、通信サービスプロバイダ80のサービスを宣伝することが好ましく、注意を引くために１つ以上のインタラクティブゲーム又はパズルを有してもよい。これらのSMS画像は、電話10を使用して電話を行うときに、他のユーザに通信可能であり、これにより、サービスプロバイダ80及びその関連サービスについてのユーザ認識を広めることが好ましい。
【００２８】
データ媒体20は、現代のプリペイド型スクラッチカードと類似した方法で購入可能である。しかし、ユーザ40が長い番号系列を正確に電話10に（例えば電話10のキーボード330に）入力すると期待しない点で、データ媒体20は有利である。従って、公衆電話を使用するときに電話に対して料金を支払うためにコインを供給することと同様に、悪い視力及び／又は認識能力を有する高齢者は、データ媒体20の電話10への挿入を、サービスを得るための“鍵”として関連付けることが可能になる。対照的に、前述の長い番号系列の入力は、このような高齢者が把握するには認識的に複雑である。
【００２９】
データ媒体20の使用はまた、プリペイド型スクラッチカードで効率的に提供されない広告の機会を提供するという点で、通信プロバイダ80にも有利である。例えば、有利には１つ以上の無料ソフトウェアアプリケーション300は、ユーザ40の注目及び関心を引くように促される。ディスプレイ320でユーザ40に提示される広告は、少なくとも１つの視覚的及び聴覚的に実装されるものであることが好ましく、ユーザ40が悪い視力を有する場合に、このような実装は特に有用である。
【００３０】
特許請求の範囲において、括弧内に含まれる数字及び他の符号は、請求項の理解を助けることを目的としており、決して請求項の範囲を限定することを意図するものではない。
【００３１】
前述の本発明の実施例は、特許請求の範囲に記載された本発明の範囲を逸脱することなく、変更可能であることがわかる。
【００３２】
“有する”、“含む”、“組み込む”、“包含する”、“である”及び“所有する”というような表現は、説明及びその関連する請求項を解釈するときに、非排他的に解釈されるべきである。すなわち、明示的に記載されていなくても存在する他の項目又は構成要素を許容するものとして解釈されるべきである。単数への言及は、複数への言及であると解釈されるべきであり、その逆も同様である。
【図面の簡単な説明】
【００３３】
【図１】本発明に従って料金を支払う方法を実施するために、サービスプロバイダと通信するように結合された通信装置（例えば移動電話）の概略図
【図２】図１に関する方法で使用されるデータ媒体に含まれるデータ構造の概略図、及び装置とサービスプロバイダとの間のデータフローを示す図
【図１】
2007531449.tif 000003
【図２】
2007531449.tif 000004
【手続補正書】
【提出日】平成18年12月1日(2006.12.1)
【手続補正１】
【補正対象書類名】特許請求の範囲
【補正対象項目名】全文
【補正方法】変更
【補正の内容】
【特許請求の範囲】
【請求項１】
サービスプロバイダにより提供される１つ以上のサービスを介して通信するように動作可能な通信装置の料金を支払う方法であって：
(a)前記サービスプロバイダが、前記プロバイダへの支払いと引き換えに小売用の１つ以上のデータ媒体を配布するように構成するステップと；
(b)前記装置が、前記１つ以上のデータ媒体を受領することができるメモリデバイスを有するように構成するステップと；
(c)前記デバイスを介して前記装置が前記１つ以上のデータ媒体に記録されたデータに直接アクセスすることを可能にするため、前記メモリデバイスに前記１つ以上のデータ媒体を提示するステップであり、前記データは、前記１つ以上のデータ媒体を特定する情報を伝える少なくとも１つのセキュア番号を有し、前記少なくとも１つのセキュア番号は、前記１つ以上のデータ媒体に記録された安全なキーロッカー構造に保持され、前記キーロッカーは、前記装置への有効なアクセスキーの提示のときに、前記サービスプロバイダにアクセス可能であるステップと；
(d)前記装置を介して前記プロバイダに少なくとも１つの第２の番号を有する前記データを通信するステップと；
(e)前記プロバイダで前記データを受信し、ここで前記データの有効性を検査するステップと；
(f)前記データが有効であると前記プロバイダにより認められると、前記データで伝えられた情報に従って前記装置の料金クレジットを更新するステップと；
を有する方法。
【請求項２】
請求項１に記載の方法であって、
前記１つ以上のデータ媒体は、前記データを読み取るために光及び／又は磁気の呼びかけ信号（interrogation）を受ける方法。
【請求項３】
請求項１に記載の方法であって、
前記１つ以上のデータ媒体は、１つ以上の小型光ディスク（SFFO：small  form  factor  optical）のデータ媒体である方法。
【請求項４】
請求項１に記載の方法であって、
暗号化形式で前記データ媒体の前記データを前記サービスプロバイダに通信するステップを有する方法。
【請求項５】
請求項１に記載の方法であって、
前記サービスプロバイダは、前記１つ以上のデータ媒体から直接アクセスされる前記データを前に呼び出したことを検査するように動作可能であり、
これによって、前記１つ以上のデータ媒体により示されるクレジットが前記装置に関連して前にクレジットを与えられたか否かを特定する方法。
【請求項６】
請求項１に記載の方法であって、
前記１つ以上のデータ媒体は、前記１つ以上のデータ媒体が前記デバイスに提示されるときに広告資料を前記装置のユーザに提示するために、広告データコンテンツ及び／又は少なくとも１つの広告ソフトウェアアプリケーションを有する方法。
【請求項７】
サービスプロバイダにより提供される１つ以上のサービスを介して通信する通信装置であって、
前記装置は、支払いと引き換えに前記プロバイダにより配布される１つ以上のデータ媒体を受領することができるメモリデバイスを有し、
前記デバイスは、前記１つ以上のデータ媒体の提示のときに、前記１つ以上のデータ媒体のデータに直接アクセスするように動作可能であり、前記データは、前記１つ以上のデータ媒体を特定する情報を伝える少なくとも１つのセキュア番号を有し、前記少なくとも１つのセキュア番号は、前記１つ以上のデータ媒体に記録された安全なキーロッカー構造に保持され、前記キーロッカーは、前記装置への有効なアクセスキーの提示のときに、前記サービスプロバイダにアクセス可能であり、
前記装置は、前記データを前記プロバイダに通信し、前記データが有効であると認められたときに前記データで伝えられた情報に従って前記装置の料金クレジットを更新するために、前記プロバイダが前記データを検査することができるように更に構成される通信装置。
【請求項８】
サービスプロバイダと少なくとも１つの通信装置とを有する通信システムであって、
前記少なくとも１つの装置のそれぞれは、サービスプロバイダにより提供される１つ以上のサービスを介して通信するように構成され、
前記装置は、支払いと引き換えに前記プロバイダにより配布される１つ以上のデータ媒体を受領することができるメモリデバイスを有し、
前記デバイスは、前記１つ以上のデータ媒体の提示のときに、前記１つ以上のデータ媒体のデータに直接アクセスするように動作可能であり、前記データは、前記１つ以上のデータ媒体を特定する情報を伝える少なくとも１つのセキュア番号を有し、前記少なくとも１つのセキュア番号は、前記１つ以上のデータ媒体に記録された安全なキーロッカー構造に保持され、前記キーロッカーは、前記装置への有効なアクセスキーの提示のときに、前記サービスプロバイダにアクセス可能であり、
前記装置は、前記データを前記プロバイダに通信し、前記データが有効であると認められたときに前記データで伝えられた情報に従って前記装置の料金クレジットを更新するために、前記プロバイダが前記データを検査することができるように更に構成される通信システム。
【請求項９】
請求項１に記載の方法での使用に適しており、前記データを伝えるデータ媒体であって、
前記媒体は前記デバイスにより直接読み取られることができ、
前記データは、前記媒体の安全なキーロッカー構造に記録されるデータ媒体。
【請求項１０】
請求項９に記載の媒体であって、
前記媒体のユーザに広告を提示するために、広告データコンテンツ及び／又は広告アプリケーションソフトウェアを更に有する媒体。
【請求項１１】
請求項９に記載の媒体であって、
小型光ディスクデータ媒体として実施される媒体。
【請求項１２】
請求項１に記載の方法を実施するように動作可能なソフトウェア。
【国際調査報告】
2007531449.tif 000005
2007531449.tif 000006
2007531449.tif 000007